(57)【特許請求の範囲】
【請求項１】
工具を収納する収納部が形成された工具収納箱と、該工具収納箱の前記収納部と一体の部分の側面に回動自在に装着されると共に一対の脚立の脚に夫々係合する溝が互いに対向して形成された一対のブラケットとを備え、前記一対の脚立の脚の開脚角度に前記一対のブラケットの角度を合わせ前記溝を前記脚の上部に係合させて前記脚立に取り付け前記工具収納箱を水平状態に保持し得るように構成したことを特徴とする脚立取付け用工具箱。
【請求項２】
工具を収納する収納部が形成されると共に該収納部と一体の部分の側面に複数の取付け穴が形成された工具収納箱と、適宜の前記取付け穴に回動自在に装着可能な取付けボルトが固定されかつ互いに対向する側に脚立の一対の脚に係合する開口部を有する溝が形成された一対のブラケットと、前記一対の取付けボルトに螺合する一対のナットとを備え、前記脚立の一対の脚の太さ及び芯間距離に合わせて前記一対のブラケットを前記取付けボルト及び前記ナットにより適合する前記取付け穴に回動自在に装着し、前記一対の脚の開脚角度に前記一対のブラケットの角度を合わせ前記溝を前記脚の上部に係合させて前記脚立に取り付け前記工具収納箱を異なる種類の脚立に水平状態に保持し得るように構成したことを特徴とする脚立取付け用工具箱。
【発明の詳細な説明】
【０００１】
【発明の属する技術分野】
本発明は、脚立取付け用工具箱に係り、特に脚立を用いる高所作業時に作業に必要となる一式の工具を収納することができる工具収納箱を非常に簡単に脚立に装着できるようにして、作業に先立って一式の工具類を該工具収納箱に収納しておくことにより、工具交換ごとの脚立に対する上り下りを不要として作業者の疲労を大幅に軽減させると共に、上り下りに伴う脚立からの落下の危険性を最小とし、大工、左官、塗装工、電気工事人等の高所作業の作業能率を大幅に向上させることができるようにした脚立取付け用工具箱に関する。
【０００２】
【従来の技術】
大工、左官、塗装工、電気工事人等の高所で作業を行う人は、作業に必要とする工具一式を布又は革製の工具ホルダに収納し、腰に巻き付けて脚立等の上に乗って作業に必要な工具を該工具ホルダから順次取り出して作業を行っていた。
【０００３】
しかし、腰に巻き付けた従来の工具ホルダでは、工具が該工具ホルダから飛び出した状態で収納されており、作業時に該飛び出している工具が周囲に接触して体のバランスを崩すおそれがあり、思わぬ怪我、事故の原因となっていた。
【０００４】
また、大工は布製の袋にノミ等の刃物を入れて腰に巻き付けて作業しているが、ノミ等の刃部を下向きに布製の袋に収納していると、すぐに布製の袋が破れてしまうため、刃部を上に向けて布製の袋に収納することが多く、作業時に該刃部に手が触れて怪我をするという欠点があった。
【０００５】
更に大型の工具は、腰に巻きつけて保持することが困難であり、該大型工具は脚立から下りて該工具に持ち替えた後、再び脚立に上り作業を続けているが、脚立に対する上り下りの負担が作業者にかかり、疲労させるばかりでなく、いちいち工具を取りに脚立から上り下りしなければならないので作業効率が低下するという欠点があった。
【０００６】
【発明が解決しようとする課題】
本発明は，上記した従来技術の欠点を除くためになされたものであって、その目的とするところは、工具を収納する収納部が形成された工具収納箱と、該工具収納箱の収納部と一体の部分の側面に回動自在に装着されると共に一対の脚立の脚に夫々係合する溝が互いに対向して形成された一対のブラケットとを備え、一対の脚立の脚の開脚角度に一対のブラケットの角度を合わせ溝を脚の上部に係合させて脚立に取り付け工具収納箱を水平状態に保持し得るように構成することによって、一対のブラケットを脚立に係合させるだけで、工具収納箱を極めて容易に脚立に取り付けることができるようにすることであり、またこれによって作業に必要とする一式の工具を予め該工具収納箱に収納して準備した後、作業を行うことができるようにして作業途中での脚立に対する上り下りを不要として作業効率を向上させることであり、また上り下りに伴う作業者の疲労を軽減させると共に脚立からの落下の危険を防止できるようにすることである。
【０００７】
また他の目的は、工具収納箱と一体の部分の側面に脚立に係合する溝が形成された一対のブラケットを回動自在に装着することによって、該一対のブラケットの溝を単に脚立の脚に係合させて下方に押し付けるだけで、一対のブラケットの角度を脚立の脚の開脚角度に自動的に合わせることができるようにすることであり、またこれによって脚立のセット状態にかかわらず、どの様な脚立にも、極めて容易に脚立取付け用工具箱を取り付けることができるようにすることである。
【０００８】
また、上記構成によりブラケットを回動させることによって脚立取付け用工具箱を収納時には平らにして容易に収納できるようにすることであり、またこれによって作業現場にコンパクトな状態で搬送できるようにすることである。
【０００９】
更に他の目的は、工具収納箱と一体の部分の側面に複数の取付け穴を形成し、脚立の脚と係合する溝が形成された一対のブラケットの取付けボルトを適宜の該取付け穴に嵌合させて取付け可能とすることによって、脚の太さ、芯間距離に合わせて一対のブラケットを工具収納箱に取り付けられるようにすることであり、またこれによって任意の形式の脚立に１台の脚立取付け用工具箱で対応できるようにすることである。
【００１０】
【課題を解決するための手段】
要するに本発明（請求項１）は、工具を収納する収納部が形成された工具収納箱と、該工具収納箱の前記収納部と一体の部分の側面に回動自在に装着されると共に一対の脚立の脚に夫々係合する溝が互いに対向して形成された一対のブラケットとを備え、前記一対の脚立の脚の開脚角度に前記一対のブラケットの角度を合わせ前記溝を前記脚の上部に係合させて前記脚立に取り付け前記工具収納箱を水平状態に保持し得るように構成したことを特徴とするものである。
【００１１】
また本発明（請求項２）は、工具を収納する収納部が形成されると共に該収納部と一体の部分の側面に複数の取付け穴が形成された工具収納箱と、適宜の前記取付け穴に回動自在に装着可能な取付けボルトが固定されかつ互いに対向する側に脚立の一対の脚に係合する開口部を有する溝が形成された一対のブラケットと、前記一対の取付けボルトに螺合する一対のナットとを備え、前記脚立の一対の脚の太さ及び芯間距離に合わせて前記一対のブラケットを前記取付けボルト及び前記ナットにより適合する前記取付け穴に回動自在に装着し、前記一対の脚の開脚角度に前記一対のブラケットの角度を合わせ前記溝を前記脚の上部に係合させて前記脚立に取り付け前記工具収納箱を異なる種類の脚立に水平状態に保持し得るように構成したことを特徴とするものである。
【００１２】
【発明の実施の形態】
以下本発明を図面に示す実施例に基いて説明する。図１から図４において、本発明に係る脚立取付け用工具箱１は、工具収納箱２と、ブラケット３と、ナットの一例たる蝶ナット４とを備えている。
【００１３】
工具収納箱２は、作業に必要とする一式の工具９を収納しておくためのものであって、収納箱本体５とベース６とから構成され、収納箱本体５はねじ８によってベース６に一体的に固定されている。
【００１４】
収納箱本体５は、鉋、鋸、ドライバ、ノミ等の一式の工具９を収納するためのものであって、木材、プラスティック、金属等で上方が開放された浅皿状の収納部５ａが形成され、該収納部５ａに工具９を積載して収納するようになっている。
【００１５】
ベース６は、収納箱本体５の基部であり、一対のブラケット３を装着するためのものであって、金属製のＬ字形鋼をコの字形に成形して製作されており、上面６ａにはねじ８を螺合させるための雌ねじ６ｂが形成され、また側面６ｃにはブラケット３を装着するための取付け穴６ｄが複数個形成されている。
【００１６】
ブラケット３は、脚立取付け用工具箱１を脚立１０の脚１１に取り付けるためのものであって、左右対象の一対のブラケット３として構成され、金属製のアングルによって一側面に開口部３ｆが形成された断面コの字形の溝３ｇが形成されており、側面３ａには取付けボルト３ｂが溶接されると共に、上下端３ｃ、３ｄの角部はテーパ状に切除されて面取り部３ｅが形成され、作業時に角部に引掛けて思わぬ怪我をしないように配慮されている。
【００１７】
そして、ボルト３ｂをベース６の取付け穴６ｄに挿通させ、蝶ナット４を螺合させてブラケット３をベース６に回動自在に装着し、一対の該ブラケット３が独立して回動できるように組み立てられている。
【００１８】
なお、収納箱本体５とベース６とは、別部品として構成される必要はなく、例えば木で製作されたものであっても、また樹脂を成形して一体として製作されたものであってもよく、更にブラケット３も金属製に限定されるものではなく、取付けボルト３ｂと一体的に樹脂を成形して製作されたものであってもよい。
【００１９】
本発明は、上記のように構成されており、以下その作用について説明する。図５から図７において、取付けボルト３ｂの蝶ナット４をわずかに緩めてブラケット３を回動自在とし、該一対のブラケット３を脚立１０の脚１１の開脚角度に合わせるようにしながら該脚立１０の上方から矢印Ａ方向に一対のブラケット３の溝３ｇを脚１１に係合させて載せる。
【００２０】
一対のブラケット３は、脚立１０の脚１１の開脚角度に合うように脚１１に沿って自動的に角度が調節されて脚１１に係合し、非常に簡単にかつワンタッチで収納箱本体５が水平状態に保持されて脚立１０に取り付けられる。
【００２１】
作業者１２は、作業に必要となる鉋、ノミ、鋸、ドライバ等の一式の工具９を収納部５ａに載せて作業開始の準備をした後、脚立１０に乗って作業を行い、作業の進行に伴なって工具９の交換の必要があると、使用していた工具９を収納部５ａに載せ、必要とする工具９を該収納部５ａから取り出して脚立１０に対して上り下りすることなく作業を連続して行うことができる。
【００２２】
また、図８において、脚立取付け用工具箱１の収納又は搬送時には、一対のブラケット３を収納箱本体５と平行に回動させ、蝶ナット４で締め付けておくことにより、脚立取付け用工具箱１を平らな状態とすることができ、作業現場等への搬送を容易に行うことができる。
【００２３】
脚立１０の形状は脚１１の太さ、芯間距離などが夫々異なるが、図９及び図１０において、蝶ナット４を矢印Ｃ方向に回動させて取付けボルト３ｂから外し、脚１１の太さに適合した溝幅を持つブラケット３に交換することによって、又は該取付けボルト３ｂを適宜のベース６の取付け穴６ｄに挿通させ、蝶ナット４を矢印Ｂ方向に螺合させてベース６に装着し直すことにより、脚１１の太さの異なる脚立１０に取り付けることができ、また脚１１の芯間距離の異なる脚立１０にも取り付けることができる。
【００２４】
また、脚立１０へ取り付ける高さも一対のブラケット３を適宜の取付け穴６ｄに取り付けて該一対のブラケット３の距離を調節することにより変更することができ、一対のブラケット３の距離を狭くすれば脚立１０の高い位置に、また広くすれば脚立１０の低い位置に取り付けることができ、収納箱本体５を作業に最適な任意の高さに取り付けることができ、作業効率を大幅に向上させることができる。
【００２５】
【発明の効果】
本発明は、上記のように工具を収納する収納部が形成された工具収納箱と、該工具収納箱の収納部と一体の部分の側面に回動自在に装着されると共に一対の脚立の脚に夫々係合する溝が互いに対向して形成された一対のブラケットとを備え、一対の脚立の脚の開脚角度に一対のブラケットの角度を合わせ溝を脚の上部に係合させて脚立に取り付け工具収納箱を水平状態に保持し得るように構成したので、一対のブラケットを脚立に係合させるだけで、工具収納箱を極めて容易に脚立に取り付けることができる効果があり、またこの結果作業に必要とする一式の工具を予め該工具収納箱に収納して準備した後作業を行うことができ、作業途中での脚立に対する上り下りを不要として作業効率を向上させる効果があり、また上り下りに伴う作業者の疲労を軽減させると共に脚立からの落下の危険を防止できる効果がある。
【００２６】
また、工具収納箱と一体の部分の側面に脚立に係合する溝が形成された一対のブラケットを回動自在に装着したので、該一対のブラケットの溝を単に脚立の脚に係合させて下方に押し付けるだけで、一対のブラケットの角度を脚立の脚の開脚角度に自動的に合わせることができる効果があり、またこの結果脚立のセット状態にかかわらず、どの様な脚立にも、極めて容易に脚立取付け用工具箱を取り付けることができるという効果がある。
【００２７】
また、上記構成の結果、ブラケットを回動させることによって脚立取付け用工具箱を収納時には平らにして容易に収納することができる効果があり、またこの結果作業現場にコンパクトな状態で搬送できるという効果がある。
【００２８】
更に、工具収納箱と一体の部分の側面に複数の取付け穴を形成し、脚立の脚と係合する溝が形成された一対のブラケットの取付けボルトを適宜の該取付け穴に嵌合させて取付け可能としたので、脚の太さ、芯間距離に合わせて一対のブラケットを工具収納箱に取り付けられる効果があり、またこの結果任意の形式の脚立に一台の脚立取付け用工具箱で対応することができるという効果がある。
【図面の簡単な説明】
【図１】脚立取付け用工具箱の斜視図である。
【図２】脚立取付け用工具箱の正面図である。
【図３】脚立取付け用工具箱の縦断面図である。
【図４】脚立取付け用工具箱の分解斜視図である。
【図５】脚立取付け用工具箱を脚立に装着する状態を示す正面図である。
【図６】脚立取付け用工具箱を脚立に装着した状態を示す正面図である。
【図７】脚立上で作業する状態を示す斜視図である。
【図８】脚立取付け用工具箱を収納するときの状態を示す斜視図である。
【図９】脚立取付け用工具箱の部分破断斜視図である。
【図１０】脚立取付け用工具箱を幅の広い脚立に装着した状態を示す斜視図である。
【符号の説明】
１    脚立取付け用工具箱
２    工具収納箱
３    ブラケット
３ｂ  取付けボルト
３ｆ  開口部
３ｇ  溝
４    ナットの一例たる蝶ナット
５ａ  収納部
６ｄ  取付け穴
９    工具
１０    脚立
１１    脚
【図１】
0003617021.tif 000002
【図２】
0003617021.tif 000003
【図３】
0003617021.tif 000004
【図４】
0003617021.tif 000005
【図５】
0003617021.tif 000006
【図６】
0003617021.tif 000007
【図７】
0003617021.tif 000008
【図８】
0003617021.tif 000009
【図９】
0003617021.tif 000010
【図１０】
0003617021.tif 000011